(57)【要約】【課題】室内等の限られた狭いスペースでも十分にＴＶ会議を行うことができる表示装置用スタンドを提供する。【解決手段】表示装置３０を支持する表示装置用スタンド１であって、基台２と、基台２に立設される支柱１２と、支柱１２の頂部に設けられる角度調整手段２０とを備え、角度調整手段２０に表示装置３０の裏面側を連結し、表示装置３０をその表示画面が上方向を向く位置と水平方向を向く位置との間で角度調整可能に構成する。角度調整手段２０は、相互に揺動可能な２枚の羽根板を有する蝶番２０であって、１つ又は２つ以上の蝶番２０を支柱１２の頂部に配置し、蝶番２０の一方の羽根板を支柱１２の頂部に固定し、他方の羽根板を表示装置３０の裏面側に固定し、他方の羽根板と一体に表示装置３０を揺動可能に構成する。蝶番２０は、表示装置３０に作用する最大の回転トルクよりも大きいトルク値を有するので、表示装置３０を任意の角度に確実に保持できる。【選択図】図２
2008241903.tif 000002
【特許請求の範囲】
【請求項１】
表示装置を支持する表示装置用スタンドであって、
基台と、該基台に立設される支柱と、該支柱の頂部に設けられる角度調整手段とを備え、
該角度調整手段に前記表示装置の裏面側を連結し、前記表示装置をその表示画面が少なくとも上方向を向く位置と水平方向を向く位置との間で角度調整可能に構成したことを特徴とする表示装置用スタンド。
【請求項２】
前記表示装置を、その表示画面が水平方向よりも下方を向く位置まで角度調整可能に構成したことを特徴とする請求項１に記載の表示装置用スタンド。
【請求項３】
前記角度調整手段は、相互に揺動可能な２枚の羽根板を有する蝶番であって、１つ又は２つ以上の蝶番を前記支柱の頂部に配置し、該蝶番の一方の羽根板を前記支柱の頂部に固定し、他方の羽根板を前記表示装置の裏面側に固定し、該他方の羽根板と一体に前記表示装置を揺動可能に構成したことを特徴とする請求項１又は２に記載の表示装置用スタンド。
【請求項４】
前記支柱は、前記支柱を上下方向に伸縮させる高さ調整機構を有し、該高さ調整機構により前記支柱を上下方向に伸縮させることにより、前記表示装置の上下方向の位置を調整可能に構成したことを特徴とする請求項１から３の何れかに記載の表示装置用スタンド。
【請求項５】
前記支柱の頂部には取付け部が設けられ、該取付け部に前記蝶番の一方の羽根板が固定されるとともに、該取り付け部には前記支柱の高さ調整機構を作動させて前記支柱を上下方向に伸縮させる把手部が設けられていることを特徴とする請求項４に記載の表示装置用スタンド。
【請求項６】
前記蝶番は、前記表示装置を表示画面が水平方向を向く位置に角度調整した際に、該表示装置に作用する回転トルクよりも大きいトルク値を有していることを特徴とする請求項１から５の何れかに記載の表示装置用スタンド。
【発明の詳細な説明】
【技術分野】
【０００１】
本発明は、表示装置用スタンドに関し、特に、液晶モニター等のパネル表示装置を角度調整可能に支持するのに有効な表示装置用スタンドに関する。
【背景技術】
【０００２】
近年、ネットワークを利用した各種のＴＶ会議システムが提供されており、隔地者間で液晶モニター等のパネル表示装置を用いてＴＶ会議を行う場合等に広く利用されている。
【０００３】
このようなＴＶ会議システムに利用可能なパネル表示装置の一例として、例えば、特許文献１には、ベース部と、ベース部の上部に立設される支柱と、ベース部の下部の複数箇所に取り付けられるキャスターとを備えた表示装置用スタンドを用い、この表示装置用スタンドの支柱の上端部に表示装置を取り付け例が開示されている。
【０００４】
このような構成の表示装置を用いて隔地者間でＴＶ会議を行うには、ＴＶ会議に参加する人数分に相当する数の表示装置を用意し、参加者の各人に正対するように表示装置をそれぞれ配置し、各人が個別の表示装置の表示画面に表示される内容を目視しながらＴＶ会議を進行させることになる。
【特許文献１】特開２００６−３０９１３号公報
【発明の開示】
【発明が解決しようとする課題】
【０００５】
ところで、上記のような構成の表示装置にあっては、ＴＶ会議に参加する人数分に相当する台数を用意して配置しなければならないため、参加人数が多い場合には大きなスペースを必要とすることになり、室内等の限られた狭いスペースではＴＶ会議を行うことが困難になる。
【０００６】
本発明は、上記のような従来の問題に鑑みなされたものであって、参加人数よりも少ない数の表示装置でＴＶ会議を行うことができ、これによりＴＶ会議に要するスペースを大幅に削減して、室内等の限られた狭いスペースでも十分にＴＶ会議を行うことができる表示装置用スタンドを提供することを目的とする。
【課題を解決するための手段】
【０００７】
上記のような課題を解決するために、本発明は、以下のような手段を採用している。
すなわち、請求項１に係る発明は、表示装置を支持する表示装置用スタンドであって、基台と、該基台に立設される支柱と、該支柱の頂部に設けられる角度調整手段とを備え、該角度調整手段に前記表示装置の裏面側を連結し、前記表示装置をその表示画面が少なくとも上方向を向く位置と水平方向を向く位置との間で角度調整可能に構成したことを特徴とする。
【０００８】
本発明による表示装置用スタンドによれば、角度調整手段により、表示装置をその表示画面が少なくとも上方を向く位置と水平方向を向く位置との間で角度調整可能としたので、両側から表示画面を目視可能な位置に表示装置を角度調整することが可能となる。
従って、多人数でＴＶ会議を行う場合に、２人に１台の表示装置があれば足りることになるので、参加人数の半分の表示装置を用意すればよいことになり、ＴＶ会議に必要なスペースを大幅に削減することができ、室内の狭いスペースでも十分にＴＶ会議を行うことが可能となる。
【０００９】
請求項２に係る発明は、請求項１に記載の表示装置用スタンドであって、前記表示装置を、その表示画面が水平方向よりも下方を向く位置まで角度調整可能に構成したことを特徴とする。
【００１０】
本発明による表示装置用スタンドによれば、不使用時に表示装置をその表示画面が水平方向よりも下方を向く位置に角度調整することにより、表示装置の表面に埃等が付着するのを防止できることになる。
【００１１】
請求項３に係る発明は、請求項１又は２に記載の表示装置用スタンドであって、前記角度調整手段は、相互に揺動可能な２枚の羽根板を有する蝶番であって、１つ又は２つ以上の蝶番を前記支柱の頂部に配置し、該蝶番の一方の羽根板を前記支柱の頂部に固定し、他方の羽根板を前記表示装置の裏面側に固定し、該他方の羽根板と一体に前記表示装置を揺動可能に構成したことを特徴とする。
【００１２】
本発明による表示装置用スタンドによれば、蝶番の他方の羽根板が一方の羽根板に対して揺動することにより、他方の羽根板と一体に表示装置が揺動し、他方の羽根板の揺動位置に応じた角度に表示装置が調整されることになる。
【００１３】
請求項４に係る発明は、請求項１から３の何れかに記載の表示装置用スタンドであって、前記支柱は、前記支柱を上下方向に伸縮させる高さ調整機構を有し、該高さ調整機構により前記支柱を上下方向に伸縮させることにより、前記表示装置の上下方向の位置を調整可能に構成したことを特徴とする。
【００１４】
本発明による表示装置用スタンドによれば、高さ調整機構により支柱を上下方向に伸縮させることにより、支柱と一体に表示装置が上下方向に移動し、表示装置の上下方向の位置が調整されることになる。
【００１５】
請求項５に係る発明は、請求項４に記載の表示装置用スタンドであって、前記支柱の頂部には取付け部が設けられ、該取付け部に前記蝶番の一方の羽根板が固定されるとともに、該取り付け部には前記支柱の高さ調整機構を作動させて前記支柱を上下方向に伸縮させる把手部が設けられていることを特徴とする。
【００１６】
本発明による表示装置用スタンドによれば、取付け部の把手部を操作して高さ調整機構を作動させることにより支柱が伸縮し、支柱と一体に表示装置が上下方向に移動し、表示装置の上下方向の位置が調整されることになる。
【００１７】
請求項６に係る発明は、請求項１から５の何れかに記載の表示装置用スタンドであって、前記蝶番は、前記表示装置を表示画面が水平方向を向く位置に角度調整した際に、該表示装置に作用する回転トルクよりも大きいトルク値を有していることを特徴とする。
【００１８】
本発明による表示装置用スタンドによれば、蝶番は、表示装置に作用する最大の回転トルクよりも大きいトルク値を有しているので、表示装置を任意の角度に調整した場合に、その位置に表示装置を確実に保持することができる。
【発明の効果】
【００１９】
以上、説明したように、本発明の表示装置用スタンドによれば、表示装置をその表示画面が上方を向く位置と水平方向を向く位置との間で任意に角度調整することができるので、両側から表示画面を目視できる角度に表示装置を調整することが可能となる。
従って、多人数でＴＶ会議を行う場合に、２人に１台の表示装置があれば足りることになるので、参加人数の半分の数の表示装置を用意すればよいことになり、ＴＶ会議に要するスペースを大幅に削減することができ、室内等の限られた狭いスペースでも多人数でＴＶ会議を行うことが可能となる。
【発明を実施するための最良の形態】
【００２０】
以下、図面を参照しながら本発明の実施の形態について説明する。
図１〜図１３には、本発明による表示装置用スタンドの一実施の形態が示されていて、図１は表示装置用スタンドの全体を示す正面図、図２は側面図、図３は平面図、図４は支柱を伸ばした状態を示す正面図、図５は図４の側面図、図６は表示装置を約４５°に傾けた状態を示す側面図、図７は表示装置の裏面側の拡大図、図８は図７の平面図、図９は表示装置の表示画面が水平方向を向くように角度調整した状態を示す拡大図、図１０は表示装置の表示画面が約４５°方向を向くように角度調整した状態を示す拡大図、図１１は表示装置の表示画面が上方を向くように角度調整した状態を示す拡大図、図１２は蝶番の平面図、図１３はＴＶ会議を行う際の表示装置の配置図である。
【００２１】
すなわち、本実施の形態に示す表示装置用スタンド１は、ネットワークを利用した各種のＴＶ会議システムに適用され、例えば、隔地者間で液晶モニター等のパネル型の表示装置を用いて多人数対多人数のＴＶ会議を行う場合等に表示装置を角度調整可能に支持するのに有効なものであって、室内等の床面上を前後左右方向に移動可能かつ旋回可能な基台２と、基台２の上部に垂直に立設される支柱１２と、支柱１２の頂部に一体に設けられる取付け部１６と、取付け部１６に取り付けられる角度調整手段２０とを備え、角度調整手段２０に表示装置３０が取り付けられている。
【００２２】
基台２は、脚部３と、脚部３の上部に一体に設けられる基板５と、脚部３の下面側に取り付けられるキャスター６と、基板５の下面側に着脱自在に取り付けられる錘１０とから構成され、基板５の上部に支柱１２が垂直に立設されている。
【００２３】
脚部３は、図３に示すように、４本の支持脚４を十字状に組み合わせて構成したものであって、これらの支持脚４の上部中央部に四角形板状の基板５が溶接等により一体に連結され、この基板５には表示装置３０の表示画面の後方側に配置されるように支柱１２が垂直に立設されている。
【００２４】
脚部３の各支持脚４の先端下面側にはそれぞれキャスター６が取り付けられ、これらのキャスター６によって基台２、基台２に立設される支柱１２、及び支柱１２の頂部に角度調整手段２０を介して取り付けられる表示装置３０が一体となって床面上を前後左右方向に移動可能、かつ旋回可能に支持される。
【００２５】
キャスター６は、市販のキャスターであって、各支持脚４の下面側にねじ（図示せず）により固定される基部７と、基部７の下部に旋回自在に設けられる支持部８と、支持部８に中央が支持される車軸（図示せず）と、車軸に軸受（図示せず）を介して回転自在に支持される車輪９とを備え、車輪９が車軸回りに回転するとともに、車輪９が支持部８の旋回に追従して旋回することで、基台２、支柱１２、及び表示装置３０が一体となって床面上を前後左右方向に移動し、または床面上を旋回することになる。
なお、キャスター６は、上記の構成のものに限らず、市販の各種のタイプのものを使用することができる。また、脚部３の支持脚４も十字状に限らず他の形状に形成してもよい。
【００２６】
錘１０は、例えば、鉛等の金属材から形成される板状をなすものであって、基板５の下面中央部にねじ１１によって着脱自在に取り付けられ、この錘１０による重量を基板５の下面側に付加することにより、基台２の重量を増加させることができるとともに、表示装置３０を含めた表示装置用スタンド１の重心位置を下方に移動させることができるので、基台２の安定性を高めることができ、これにより、基台２の上部に支柱１２を介して支持される表示装置３０を安定して支持することができるとともに、支持脚４を短く形成することができる。
【００２７】
この場合、錘１０は、基板５の下面側に形成される空間を利用して取り付けられるので、使用する表示装置３０の重量及び重心位置等に応じて錘１０の枚数を増減させることにより、重量、重心位置等の異なる各種の表示装置３０を安定して支持可能な基台２とすることができる。
【００２８】
支柱１２は、基板５の中心から表示装置３０の表示画面の後方側（図２の右方向）にずれた位置に垂直に立設され、この支柱１２の頂部に取付け部１６が一体に設けられ、この取付け部１６に角度調整手段２０を介して表示装置３０が取り付けられている。
【００２９】
支柱１２は、上下方向に伸縮可能な高さ調整機構１３を有し、この高さ調整機構１３によって支柱１２を上下方向に伸縮させることで、支柱１２の頂部の取付け部１６に角度調整手段２０を介して取り付けられる表示装置３０の上下方向の位置を調整することができる。
【００３０】
本実施の形態においては、高さ調整機構１３を備えた支柱１２として、シリンダ本体１４と、シリンダ本体１４内に往復動可能に設けられるロッド１５とを備えた市販のエアーサスペンションを使用し、このエアーサスペンションのシリンダ本体１４の下端を基台２の基板５の上部にねじにより固定し、ロッド１５の上端に箱状の取付け部１６を一体に設け、この取付け部１６の上部に角度調整手段２０を介して表示装置３０を取り付けている。
なお、取付け部１６は、箱状に限らず、板状等の他の形状に形成してもよい。
【００３１】
取付け部１６の背面（図２の右側の面）には、コ形状の把手部１７が突出した状態で一体に設けられ、この把手部１７を手で掴んでロッド１５を上下方向に移動させることにより、ロッド１５の上下方向の位置に対応した位置に表示装置３０を調整することができる。
【００３２】
シリンダ本体１４とロッド１５との間には、ロッド１５を上下方向の所定の位置に固定するロック機構（図示せず）が設けられ、このロック機構によりロッド１５を固定することで、ロッド１５に取付け部１６を介して取り付けられる表示装置３０を上下方向の任意の位置に固定することができる。
【００３３】
なお、支柱１２は、エアーサスペンションに限らず、上下方向に伸縮可能な高さ調整機構１３を有するものであればよい。
【００３４】
角度調整手段２０は、図１２に示すように、２枚の長方形板状の羽根板２１、２２と、各羽根板２１、２２の長辺側の縁部に一体に設けられるスリーブ２１ａ、２２ａと、両羽根板２１、２２のスリーブ２１ａ、２２ａを相互に回動自在に連結する連結ロッド２３とから構成される蝶番２０であって、両羽根板２１、２２が連結ロッド２３周りに所定の角度範囲内を相互に揺動可能に構成されている。
なお、後述するように、蝶番２０として、羽根板２１と羽根板２２とを揺動させるのに必要な回転トルクが表示装置３０による最大トルクよりも大きくなるように調整されたものを用いる。
【００３５】
本実施の形態においては、図７及び図８に示すように、２つの蝶番２０、２０を直列に並べて取付け部１６の上部に配置し、各蝶番２０の一方の羽根板２１を取付け部１６の上部にねじ２５により固定し、他方の羽根板２２を表示装置３０の裏面中央部にプレート２４を介してねじ２５により固定している。これにより、表示装置３０は、取付け部１６の上部で蝶番２０の他方の羽根板２２と一体に揺動することになり、表示画面が上方を向く位置（他方の羽根板２２が閉じた位置）と表示画面が水平方向を向く位置（他方の羽根板２２が一方の羽根板２１に対して略直角に開いた位置）との間を揺動可能、かつ任意の位置に角度調整可能に構成される。
【００３６】
この場合、蝶番２０には、表示装置３０を任意の位置に角度調整した際に、その位置において表示装置３０の自重により蝶番２０に作用する回転トルクよりも大きなトルク値を有するものを使用し、表示装置３０を任意の位置に確実に保持している。つまり、蝶番２０に作用する回転トルクが最大となるのは、表示装置３０の表示画面が水平方向を向く位置であるから、その位置において表示装置３０に作用する回転トルクよりも大きいトルク値を有する蝶番２０を選定して使用している。このようなトルク値を有する蝶番２０を使用することにより、表示装置３０を任意の位置に確実に保持することができる。
なお、表示装置３０をその表示画面が水平方向よりも下方を向く位置まで角度調整可能に構成してもよい。このような位置に表示装置３０を角度調整することにより、不使用時に表示装置３０の表示画面に埃等が付着するのを防止できることになる。
【００３７】
本実施の形態においては、表示装置３０として、例えば、重量が９Ｋｇの２４インチの液晶モニターを使用している。この表示装置３０の回転トルクを測定したところ、表示装置３０の表示画面が水平方向を向く位置で回転トルクが最大の約６．９５Ｎ・ｍとなったので、この回転トルクよりも大きいトルク値（約９．２Ｎ・ｍ）を有する蝶番２０を選定して使用した。
なお、本実施の形態においては、約４．６Ｎ・ｍのトルク値を有する蝶番２０を２つ直接に並べて使用しているが、１つ又は３つ以上の蝶番２０を使用して、９．２Ｎ・ｍのトルク値を確保するように構成してもよい。また、約９．２Ｎ・ｍのトルク値を有する蝶番２０を使用したのは、蝶番２０のトルク値の誤差を考慮したためである。
【００３８】
以下、蝶番２０のトルク値の計算方法について具体的に説明する。
＜計算の前提条件＞
１）表示装置（液晶モニター）の重量；Ｗ（ｋｇ）
２）表示装置（液晶モニター）の厚さ；Ｄ（ｍｍ）
３）蝶番にかかる回転トルク；Ｆ（Ｎ・ｍ）
４）１９インチ以上の表示装置（液晶モニター）の厚さＤ；その重量に比例し、Ｄ＝１０Ｗ（ｍｍ）
５）表示装置（液晶モニター）の重心位置；上下左右の中心、前面から厚みの１／３
６）蝶番の連結ロッドの中心から表示装置（液晶モニター）までの距離；１８．７（ｍｍ）
とすると、
蝶番にかかる回転トルクＦは、
Ｆ＝Ｗ×９．８１×（１０Ｗ×２／３＋１８．７）／１０００
選定すべき蝶番の回転トルクＨ（Ｎ・ｍ）は、
Ｆ＜Ｈ＜１．４Ｆ
となる。
よって、表示装置（液晶モニター）の重量が９ｋｇのときには、
Ｆ＝９×９．８１×（１０×９×２／３＋１８．７））／１０００
＝６．９５（Ｎ・ｍ）
６．９５＜Ｈ＜９．７３
となり、４．６（Ｎ・ｍ）の蝶番を２個使用すればよいことになる。
なお、４）の関係式が成り立たない場合の計算式は、
Ｆ＝９×９．８１×（８５×２／３＋１８．７）／１０００
＝６．６５（Ｎ・ｍ）（８５は実際のモニターの厚み）
６．６５＜Ｈ＜９．３１
となり、
この場合にも、４．６（Ｎ・ｍ）の蝶番を２個使用すればよいことになる。
【００３９】
そして、上記のように構成した本実施の形態による表示装置用スタンド１に取り付けた表示装置３０を用いてＴＶ会議を行う場合には、図１３に示すように、例えばＴＶ会議の参加者４５が６人の場合には、６人の参加者４５を円陣を組むように配置し、隣接する参加者３５間にそれぞれ表示装置３０を配置する。そして、各表示装置３０を支柱１２の頂部で揺動させて各表示装置３０の傾斜角度を調整し、各表示装置３０をその表示画面を両側から目視可能な位置に位置決めする。
【００４０】
そして、各表示装置３０の傾斜角度を設定した後に、各表示装置３０の表示画面を両側から参加者３５が目視することにより、表示画面上に表示される内容を目視しながらＴＶ会議を進行させることができる。
なお、図１３に示す例では、３台の表示装置３０間にパーソナルコンピュータ本体、キーボード、マウス等を収納する平面視三角形状の収納台４０、及びキーボード及びマウスの収納部４１を設置している。このコンパクトなレイアウトは、支持脚４を短く形成することができたことにより達成される。
【００４１】
上記のように構成した本実施の形態による表示装置用スタンド１にあっては、表示装置３０を表示画面が上方を向く位置と水平方向を向く位置との間で揺動可能、かつ、任意の位置に角度調整可能としたので、表示画面を両側から目視することができる角度に表示装置３０を調整することが可能となる。
従って、ＴＶ会議を行う場合に、参加人数の半分の数の表示装置３０を用意すれば足りることになるので、ＴＶ会議に必要とするスペースを大幅に削減することができ、室内等の限られた狭いスペースでも十分にＴＶ会議を行うことができることになる。
【００４２】
また、表示装置３０を角度調整可能に支持している蝶番２０には、表示装置３０に作用する最大回転トルクよりも大きいトルク値を有するものを選定して使用しているので、表示装置３０を揺動範囲の何れの角度に角度調整しても、その位置に表示装置３０を確実に保持することができることになる。
【００４３】
なお、前記の説明においては、表示装置３０の角度を調整する角度調整手段２０として蝶番２０を使用したが、蝶番２０に限らず、表示装置３０を所定の角度に調整し、かつその位置に保持できる機能を有するものであればよい。
また、前記の説明においては、支柱１２に高さ調整機構１３を備えたものを使用したが、高さ調整機構を備えていない支柱を使用してもよい。
【図面の簡単な説明】
【００４４】
【図１】本発明による表示装置用スタンドの一実施の形態の全体を示した正面図である。
【図２】図１の側面図である。
【図３】図１の平面図である。
【図４】支柱を伸ばした状態を示した正面図である。
【図５】図４の側面図である。
【図６】表示装置を約４５°に傾けた状態を示した側面図である。
【図７】表示装置の裏面側の拡大図である。
【図８】図７の平面図である。
【図９】表示装置の表示画面が水平方向を向くように角度調整した状態を示した拡大図である。
【図１０】表示装置の表示画面が約４５°方向を向くように角度調整した状態を示した拡大図である。
【図１１】表示装置の表示画面が上方を向くように角度調整した状態を示した拡大図である。
【図１２】（ａ）は蝶番の平面図、（ｂ）は（ａ）の側面図、（ｃ）は（ａ）の正面図である。
【図１３】ＴＶ会議を行う際の表示装置の配置図である。
【符号の説明】
【００４５】
１  表示装置用スタンド              ２  基台
３  脚部                            ４  支持脚
５  基板                            ６  キャスター
７  基部                            ８  支持部
９  車輪                            １０  錘
１１  ねじ                          １２  支柱
１３  高さ調整機構                  １４  シリンダ本体
１５  ロッド                        １６  取付け部
１７  把手部                        ２０  角度調整手段（蝶番）
２１  羽根板                        ２２  羽根板
２１ａ  スリーブ                    ２２ａ  スリーブ
２３  連結ロッド                    ２４  プレート
２５  ねじ                          ３０  表示装置
４０  収納台                        ４１  収納部
４５  参加者
【図１】
2008241903.tif 000003
【図２】
2008241903.tif 000004
【図３】
2008241903.tif 000005
【図４】
2008241903.tif 000006
【図５】
2008241903.tif 000007
【図６】
2008241903.tif 000008
【図７】
2008241903.tif 000009
【図８】
2008241903.tif 000010
【図９】
2008241903.tif 000011
【図１０】
2008241903.tif 000012
【図１１】
2008241903.tif 000013
【図１２】
2008241903.tif 000014
【図１３】
2008241903.tif 000015